(57)【要約】【課題】ヤレ判定をして不良品を取り除き良品と差し替えるときの生産性を向上させることができる画像形成装置を提供する。【解決手段】画像形成装置１は、印刷紙に画像を形成する画像形成部２３と、画像形成部２３により印刷紙に形成された画像を含む印刷物を読み込む画像読取部９１と、画像形成部２３により印刷紙に形成された画像を含む印刷物の印刷状態の許容誤差を特定する判定用閾値と、画像読取部９１により読み込まれた印刷物に対応する読み込みデータと、に基づき、画像形成部２３により形成された印刷紙に形成された画像を含む印刷物の良否判定を行う制御部１０１と、を含む。制御部１０１は、画像形成部２３により印刷紙に形成された画像を含む印刷物が不良品であると判定した頁を再印刷させて差し替えを実行させる。【選択図】図１
2019095576.tif 000002
【特許請求の範囲】
【請求項１】
印刷紙に画像を形成する画像形成部と、
前記画像形成部により印刷紙に形成された画像を含む印刷物を読み込む画像読取部と、
前記画像形成部により印刷紙に形成された画像を含む印刷物の印刷状態の許容誤差を特定する判定用閾値と、前記画像読取部により読み込まれた印刷物に対応する読み込みデータと、に基づき、前記画像形成部により印刷紙に形成された画像を含む印刷物の良否判定を行う制御部と、
を備え、
前記制御部は、
前記画像形成部により印刷紙に形成された画像を含む印刷物が不良品であると判定した頁を再印刷させて差し替えを実行させる、
画像形成装置。
【請求項２】
前記制御部は、
前記判定用閾値が更新されたときに前記印刷物に対応する読み込みデータが存在する場合、前記印刷物に対応する読み込みデータで前記印刷物の良否判定を行う、
請求項１に記載の画像形成装置。
【請求項３】
前記制御部は、
前記判定用閾値が更新されたときに前記印刷物に対応する読み込みデータが存在しない場合、前記画像形成部により前記印刷紙に画像を形成させる、
請求項１又は２に記載の画像形成装置。
【請求項４】
前記印刷物を排出する排出部、
をさらに備え、
前記排出部は、
第１のトレイと、
前記第１のトレイと異なる箇所に設けられている第２のトレイと、
を備え、
前記制御部は、
前記印刷物のうち、良品と判定されたものを前記第１のトレイ及び前記第２のトレイの何れか一方に排出させ、不良品と判定されたものを前記第１のトレイ及び前記第２のトレイの何れか他方に排出させる、
請求項１〜３の何れか一項に記載の画像形成装置。
【請求項５】
前記印刷物に前記画像形成部を迂回させる迂回経路、
をさらに備える、
請求項１〜４の何れか一項に記載の画像形成装置。
【請求項６】
前記制御部は、
前記印刷物において、不良品と判定されたものを良品と判定されたものに差し替える場合、前記印刷物の次の給紙を停止させた状態で、前記画像形成部により前記印刷紙に画像を形成させる、
請求項１〜５の何れか一項に記載の画像形成装置。
【請求項７】
前記制御部は、
前記印刷物のそれぞれにある画像が同一である場合、前記印刷物の次の給紙を停止させない状態で、前記画像形成部により前記印刷紙に画像を形成させる、
請求項１〜５の何れか一項に記載の画像形成装置。
【発明の詳細な説明】
【技術分野】
【０００１】
本開示は、画像形成装置に関する。
【背景技術】
【０００２】
画像形成装置により用紙等の記録材上に形成される画像を読み取り、画像の品質を判定する検査技術がある。例えば、判定用閾値に基づき画像の品質を判定してから判定用閾値を変更して画像の品質を再度判定して欠陥領域を特定し、特定した欠陥領域を示す画像を表示するものが提案されている（例えば、特許文献１参照）。
【先行技術文献】
【特許文献】
【０００３】
【特許文献１】特開２０１５−１１７９５７号公報
【発明の概要】
【発明が解決しようとする課題】
【０００４】
しかし、特許文献１に記載のような従来技術では、用紙に画像が形成されている印刷物の良否判定をし、頁ごとの欠陥検知数等を表示することはできるが、不良と判定されているヤレ紙を取り除き、良品と差し替えるのは手間がかかるため、著しく生産性が低下する恐れがある。
【０００５】
本開示はこのような状況に鑑みてなされたものであり、ヤレ判定をして不良品を取り除き良品と差し替えるときの生産性を向上させることができるようにするものである。
【課題を解決するための手段】
【０００６】
本開示の一側面である画像形成装置は、印刷紙に画像を形成する画像形成部と、前記画像形成部により印刷紙に形成された画像を含む印刷物を読み込む画像読取部と、前記画像形成部により印刷紙に形成された画像を含む印刷物の印刷状態の許容誤差を特定する判定用閾値と、前記画像読取部により読み込まれた印刷物に対応する読み込みデータと、に基づき、前記画像形成部により印刷紙に形成された画像を含む印刷物の良否判定を行う制御部と、を備え、前記制御部は、前記画像形成部により印刷紙に形成された画像を含む印刷物が不良品であると判定した頁を再印刷させて差し替えを実行させる。
【０００７】
また、前記制御部は、前記判定用閾値が更新されたときに前記印刷物に対応する読み込みデータが存在する場合、前記印刷物に対応する読み込みデータで前記印刷物の良否判定を行う、ことが好ましい。
【０００８】
また、前記制御部は、前記判定用閾値が更新されたときに前記印刷物に対応する読み込みデータが存在しない場合、前記画像形成部により前記印刷紙に画像を形成させる、ことが好ましい。
【０００９】
また、前記印刷物を排出する排出部、をさらに備え、前記排出部は、第１のトレイと、前記第１のトレイと異なる箇所に設けられている第２のトレイと、を備え、前記制御部は、前記印刷物のうち、良品と判定されたものを前記第１のトレイ及び前記第２のトレイの何れか一方に排出させ、不良品と判定されたものを前記第１のトレイ及び前記第２のトレイの何れか他方に排出させる、ことが好ましい。
【００１０】
また、前記印刷物に前記画像形成部を迂回させる迂回経路、をさらに備える、ことが好ましい。
【００１１】
また、前記制御部は、前記印刷物において、不良品と判定されたものを良品と判定されたものに差し替える場合、前記印刷物の次の給紙を停止させた状態で、前記画像形成部により前記印刷紙に画像を形成させる、ことが好ましい。
【００１２】
また、前記制御部は、前記印刷物のそれぞれにある画像が同一である場合、前記印刷物の次の給紙を停止させない状態で、前記画像形成部により前記印刷紙に画像を形成させる、ことが好ましい。
【発明の効果】
【００１３】
本開示の一側面によれば、ヤレ判定をして不良品を取り除き良品と差し替えるときの生産性を向上させることができる。
【図面の簡単な説明】
【００１４】
【図１】本開示の実施形態１に係る画像形成装置１の全体構成例を示す図である。
【図２】本開示の実施形態１に係る制御例を説明するフローチャートである。
【図３】本開示の実施形態２に係る制御例を説明するフローチャートである。
【発明を実施するための形態】
【００１５】
以下、図面に基づいて本開示の実施形態を説明するが、本開示は以下の実施形態に限られるものではない。
【００１６】
実施形態１．
図１は、本開示の実施形態１に係る画像形成装置１の全体構成例を示す図である。図１に示すように、画像形成装置１は、画像形成装置本体７を備え、画像形成装置本体７の用紙排出側には後処理装置８が接続され、後処理装置８の用紙排出側には後処理装置９が接続され、後処理装置９の用紙排出側には後処理装置１０が接続されている。後処理装置８の上部にはページインサーター８１が設けられている。ページインサーター８１は、再判定を行う印刷物を１頁ずつ画像形成装置１の後段側である後処理装置９に搬送する。印刷物は、画像形成部２３により印刷紙に形成された画像を含むものである。ページインサーター８１は、第３の搬送ローラー２１１Ｃにより後処理装置９への搬送が制御される。第３の搬送ローラー２１１Ｃは、後処理装置８における印刷物の搬送経路２１上であって、後処理装置８における印刷物の排出側に設けられている。後処理装置９には、印刷物の搬送経路２１上に画像読取部９１が設けられている。画像読取部９１は、例えばインラインセンサーから構成され、印刷物の搬送に応じて主走査方向に印刷物を読み込むことにより印刷物に対応する読み込みデータを生成する。後処理装置９は、印刷物の搬送経路２１上であって、画像読取部９１よりも印刷物の進行方向下流側に、第４の搬送ローラー２１１Ｄが設けられている。第４の搬送ローラー２１１Ｄから後処理装置９を構成する筐体の外側に向かい、第１のトレイ２０１Ａが設けられている。よって、第４の搬送ローラー２１１Ｄにより第１のトレイ２０１Ａに印刷物は排出される。後処理装置１０は、印刷物の搬送経路２１上であって、印刷物の進行方向下流側且つ後処理装置１０における印刷物の排出側に第５の搬送ローラー２１１Ｅが設けられている。第５の搬送ローラー２１１Ｅから後処理装置１０を構成する筐体の外側に向かい、第２のトレイ２０１Ｂが設けられている。よって、第５の搬送ローラー２１１Ｅにより第２のトレイ２０１Ｂに印刷物は排出される。なお、第１のトレイ２０１Ａ及び第２のトレイ２０１Ｂを総称する場合、排出部２０１と称する。また、第２のトレイ２０１Ｂは、第１のトレイ２０１Ａとは異なる箇所に設けられている。
【００１７】
画像形成装置１は、給紙部２０に載置される印刷紙に画像を形成する画像形成部２３を画像形成装置本体７内に備え、画像形成装置本体７上部には設定部６が設けられている。設定部６は、表示部６１と、操作部６２とを備え、操作部６２を介して操作者の操作を受け付けると共に、表示部６１により情報を表示するものであって、例えば判定用閾値の変更、再判定モードの選択、及び再判定に使用する読み込みデータの選択等が行われる。判定用閾値は、画像形成部２３により印刷紙に形成された画像を含む印刷物の印刷状態の許容誤差を特定するものである。判定用閾値は、例えば、汚れの大きさ、濃度、又は印刷物に形成される画像の傾きの許容誤差が特定される。再判定モードは、ヤレ判定をした後に再度ヤレ判定を行わせるモードである。再判定に使用する読み込みデータは、画像形成装置本体７内に設けられている記憶部１１１に記憶されている。再判定に使用する読み込みデータは、画像読取部９１により読み込まれるものである。記憶部１１１は、例えばフラッシュメモリ等のような不揮発性の半導体メモリ又はハードディスクドライブで実現され、各種データが格納されている。記憶部１１１は、読み込みデータの他に、例えば印刷物に画像を形成するときの画像データが記憶される。画像データは、画像形成装置１が受信する印刷ジョブをスクリーン処理したものである。
【００１８】
画像形成装置本体７上には、原稿を自動的に読み込む自動原稿給紙装置及び原稿画像走査装置を備える。原稿画像走査装置は、プラテンガラスを介して画像の読み取りが可能である。原稿画像走査装置は、例えば原稿の画像を読み取り、記憶部１１１に記憶され、画像形成部２３による画像の形成に利用される。画像形成部２３は、搬送経路２１上であって、且つ第１の搬送ローラー２１１Ａによる印刷紙の搬送方向下流側に設けられている。第１の搬送ローラー２１１Ａは、給紙部２０に載置されている印刷紙を繰り出し、画像形成部２３に向かって搬送する。画像形成部２３は、シアン、マゼンタ、イエロー、ブラック等のような各色用にそれぞれ用意された感光体４４を備え、それぞれの感光体４４の周囲には帯電装置４１、露光装置４２、及び現像装置４３が設けられている。
【００１９】
帯電装置４１により帯電した感光体４４の表面は、記憶部１１１に記憶された原稿の画像情報に基づき、露光装置４２により像の露光が行われ、静電潜像が形成される。静電潜像は、現像装置４３により現像されてトナー像となる。トナー像は、中間転写ベルト４６に転写される。中間転写ベルト４６に転写されたトナー像は、二次転写ローラー４７で圧着されつつ、第２の搬送ローラー２１１Ｂにより搬送経路２１に沿って搬送される印刷紙に転写される。第２の搬送ローラー２１１Ｂは、搬送経路２１に沿って印刷紙を搬送するだけでなく、迂回経路２７に沿って印刷物を搬送する。つまり、第２の搬送ローラー２１１Ｂは、搬送経路２１及び迂回経路２７の何れか一方に沿って印刷紙又は印刷物を搬送する。迂回経路２７は、印刷物に画像形成部２３を迂回させるものである。二次転写ローラー４７で圧着されて転写されたトナー像は、定着部２５により加熱及び加圧されて印刷紙に定着し、その結果、画像形成装置本体７で印刷物が印刷される。つまり、画像形成部２３は、電子写真プロセスによる画像形成を行うことで、印刷紙に画像を転写させる。なお、感光体４４の周囲には、ドラムクリーニング装置４５が設けられている。ドラムクリーニング装置４５は、中間転写ベルト４６に残る残留トナーを除去するものである。搬送経路２１は、給紙部２０から印刷紙を給紙し、搬送する経路である。なお、第１の搬送ローラー２１１Ａ、第２の搬送ローラー２１１Ｂ、第３の搬送ローラー２１１Ｃ、第４の搬送ローラー２１１Ｄ、及び第５の搬送ローラー２１１Ｅを総称して、搬送部２１１と称する。
【００２０】
制御部１０１は、不図示のＣＰＵ、ＲＯＭ、ＲＡＭ、及びＩ／Ｏインターフェース等を備える。ＣＰＵは、ＲＯＭから処理内容に応じてプログラムを読み出してＲＡＭに展開し、展開したプログラムと協働して画像形成装置１の動作を制御する。記憶部１１１に記憶されている各種データは、ＣＰＵが画像形成装置１の動作を制御するときに参照される。具体的には、制御部１０１は、判定用閾値と、画像読取部９１により読み込まれた印刷物に対応する読み込みデータと、に基づき、画像形成部２３により印刷紙に形成された画像を含む印刷物の良否判定を行う。より具体的には、制御部１０１は、画像形成部２３により印刷紙に形成された画像を含む印刷物が不良品であると判定した頁を再印刷させて差し替えを実行させる。
【００２１】
制御部１０１は、判定用閾値が更新されたときに印刷物に対応する読み込みデータが存在する場合、印刷物に対応する読み込みデータで印刷物の良品判定を行う。制御部１０１は、判定用閾値が更新されたときに印刷物に対応する読み込みデータが存在しない場合、画像形成部２３により印刷紙に画像を形成させ、印刷紙に形成された画像を画像読取部９１により読み込ませて読み込みデータを生成させる。制御部１０１は、印刷物のうち、良品と判定されたものを第１のトレイ２０１Ａ及び第２のトレイ２０１Ｂの何れか一方に排出させ、不良品と判定されたものを第１のトレイ２０１Ａ及び第２のトレイ２０１Ｂの何れか他方に排出させる。制御部１０１は、印刷物において、不良品と判定されたものを良品と判定されたものに差し替える場合、印刷物の次の給紙を停止させた状態で、画像形成部２３により印刷紙に画像を形成させた新たな印刷物を再度良否判定し、良品と判定すればその新たな印刷物を、第１のトレイ２０１Ａ及び第２のトレイ２０１Ｂのうち、良品と判定されたものが排出されている方に排出させる。
【００２２】
図２は、本開示の実施形態１に係る制御例を説明するフローチャートである。ステップＳ１１において、制御部１０１は、判定用閾値の設定の変更があるか否かを判定する。制御部１０１は、判定用閾値の設定の変更があると判定する場合（ステップＳ１１；Ｙ）、ステップＳ１２の処理に移行する。制御部１０１は、判定用閾値の設定の変更がないと判定する場合（ステップＳ１１；Ｎ）、ステップＳ１１の処理を継続する。ステップＳ１２において、制御部１０１は、判定用閾値の設定を変更する。ステップＳ１３において、制御部１０１は、再判定モードが選択されたか否かを判定する。制御部１０１は、再判定モードが選択されたと判定する場合（ステップＳ１３；Ｙ）、ステップＳ１４の処理に移行する。制御部１０１は、再判定モードが選択されないと判定する場合（ステップＳ１３；Ｎ）、ステップＳ１３の処理を継続する。ステップＳ１４において、制御部１０１は、以前に読み込みを行った読み込みデータがあるか否かを判定する。制御部１０１は、以前に読み込みを行った読み込みデータがあると判定する場合（ステップＳ１４；Ｙ）、ステップＳ１５の処理に移行する。制御部１０１は、以前に読み込みを行った読み込みデータがないと判定する場合（ステップＳ１４；Ｎ）、ステップＳ２５の処理に移行する。ステップＳ１５において、制御部１０１は、再判定を行う印刷物が設置されたか否かを判定する。制御部１０１は、再判定を行う印刷物が設置されたと判定する場合（ステップＳ１５；Ｙ）、ステップＳ１６の処理に移行する。制御部１０１は、再判定を行う印刷物が設置されないと判定する場合（ステップＳ１５；Ｎ）、ステップＳ１５の処理を継続する。なお、ステップＳ１５の判定処理は、例えば、ページインサーター８１及び給紙部２０のそれぞれに不図示のセンサーを設け、それらのセンサーにより印刷物が設置されたか否かが判定されればよい。
【００２３】
ステップＳ１６において、制御部１０１は、読み込みデータの一覧を表示させる。具体的には、表示部６１に読み込みデータをジョブ単位で表示させる。これにより、ユーザーに、操作部６２を介してジョブ単位で読み込みデータを選択させることができる。ステップ１７において、制御部１０１は、再判定を行う読み込みデータが選択されたか否かを判定する。制御部１０１は、再判定を行う読み込みデータが選択されたと判定する場合（ステップＳ１７；Ｙ）、ステップＳ１８の処理に移行する。制御部１０１は、再判定を行う読み込みデータが選択されないと判定される場合（ステップＳ１７；Ｎ）、ステップＳ１７の処理を継続する。ステップＳ１８において、制御部１０１は、選択された読み込みデータを判定対象に設定する。ステップＳ１９において、制御部１０１は、設定した判定対象に該当する読み込みデータを読み込む。ステップＳ２０において、制御部１０１は、変更した判定用閾値の設定に基づき、読み込んだ読み込みデータの再判定を開始する。
【００２４】
ステップＳ２１において、制御部１０１は、再判定する読み込みデータに対応して判定対象の印刷物を給紙させる。ステップＳ２２において、制御部１０１は、給紙させた判定対象の印刷物が良品であるか否かを判定する。制御部１０１は、給紙させた判定対象の印刷物が良品であると判定する場合（ステップＳ２２；Ｙ）、ステップＳ２３の処理に移行する。制御部１０１は、給紙させた判定対象の印刷物が良品でないと判定する場合（ステップＳ２２；Ｎ）、ステップＳ３０の処理に移行する。ステップＳ２３において、制御部１０１は、判定対象の印刷物を良品用トレイに排出させる。例えば、第１のトレイ２０１Ａが良品用トレイであれば、第１のトレイ２０１Ａに排出させる。ステップＳ２４において、制御部１０１は、次の印刷物があるか否かを判定する。制御部１０１は、次の印刷物があると判定する場合（ステップＳ２４；Ｙ）、ステップＳ２１の処理に戻る。制御部１０１は、次の印刷物がないと判定する場合（ステップＳ２４；Ｎ）、処理を終了する。
【００２５】
ステップＳ２５において、制御部１０１は、読み込みを行う印刷物があるか否かを判定する。制御部１０１は、読み込みを行う印刷物があると判定する場合（ステップＳ２５；Ｙ）、ステップＳ２８の処理に移行する。制御部１０１は、読み込みを行う印刷物がないと判定する場合（ステップＳ２５；Ｎ）、ステップＳ２６の処理に移行する。ステップＳ２６において、給紙部２０は、印刷紙を給紙する。ステップＳ２７において、画像形成部２３は、印刷紙に画像を印刷する。ステップＳ２８において、画像読取部９１は、印刷物を読み込んで読み込みデータを生成する。ステップＳ２９において、制御部１０１は、生成された読み込みデータ全てを判定対象に設定し、ステップＳ１９の処理に移行する。
【００２６】
ステップＳ３０において、制御部１０１は、判定対象の印刷物を不良用トレイに排出させる。例えば、第２のトレイ２０１Ｂが不良用トレイであれば、第２のトレイ２０１Ｂに排出させる。ステップＳ３１において、制御部１０１は、判定対象の印刷物の次頁の給紙を停止させる。ステップＳ３２において、制御部１０１は、印刷紙を給紙させる。ステップＳ３３において、制御部１０１は、不良と判定された頁に対応する画像データを読み込む。画像データは、例えば、記憶部１１１に記憶されている。ステップＳ３４において、制御部１０１は、読み込んだ画像データに基づき再印刷を行わせ、ステップＳ２１の処理に戻る。
【００２７】
以上の説明から、実施形態１において、画像形成部２３により印刷紙に形成された画像を含む印刷物が不良品であると判定した頁が再印刷されて差し替えが実行される。よって、印刷物が複数あったとしても、印刷物のうち不良品に該当する頁が差し替えられる。したがって、ヤレ判定をして不良品を取り除き良品と差し替えるときの生産性を向上させることができる。
【００２８】
また、実施形態１においては、判定用閾値が更新されたときに印刷物に対応する読み込みデータが存在する場合、印刷物に対応する読み込みデータで印刷物の良否判定が行われる。よって、再度の読み込みをせずに印刷物の良否判定が行われるため、良否判定の処理時間を縮めることができる。したがって、全体として生産性を向上させることができる。
【００２９】
また、実施形態１においては、判定用閾値が更新されたときに印刷物に対応する読み込みデータが存在しない場合、画像形成部２３により印刷紙に画像が形成される。よって、必要な場合のみ印刷物の読み込みを行うための印刷物が印刷されることになるため、無駄な画像形成をする必要がない。したがって、印刷物の良否判定の全体的なコストを削減することができる。
【００３０】
また、実施形態１においては、印刷物のうち、良品と判定されたものが第１のトレイ２０１Ａ及び第２のトレイ２０１Ｂの何れか一方に排出され、不良品と判定されたものが第１のトレイ２０１Ａ及び第２のトレイ２０１Ｂの何れか他方に排出される。よって、良品と不良品とが分けて排出される。したがって、複数の印刷物の中から良品と不良品とを仕分ける作業をなくすことができるため、良品判定に要する工数を特に顕著に削減することができる。
【００３１】
また、実施形態１においては、印刷物に画像形成部２３を迂回させる迂回経路２７が設けられている。よって、画像形成部２３を通さずに印刷物を通す経路があるため、画像形成部２３により印刷物が汚れたり縮んだりするような形状変形が生じる事態を回避することができる。
【００３２】
また、実施形態１においては、印刷物において、不良品と判定されたものを良品と判定されたものに差し替える場合、印刷物の次の給紙を停止させた状態で、画像形成部２３により印刷紙に画像が形成される。よって、不良品に該当する次の印刷物が給紙されることを回避することができるため、不良品に該当する頁を新たに印刷したものを挿入することができる。したがって、良品に該当する印刷物の頁が順番にそろうことになるため、作業工数を大幅に削減することができる。
【００３３】
実施形態２．
実施形態２では、画像形成装置１の構成及び機能については、実施形態１と同様であるので、その説明については省略する。実施形態２では、印刷物のそれぞれに同一画像が印刷されている場合の処理について説明する。図３は、本開示の実施形態２に係る制御例を説明するフローチャートである。図３のステップＳ５１〜ステップＳ７０、ステップＳ７４、及びステップＳ７５の処理は、図１のステップＳ１１〜ステップＳ３０、ステップＳ３３、及びステップＳ３４の処理と同様であるので、その説明については省略する。ステップＳ７１において、制御部１０１は、判定対象の印刷物のそれぞれにある画像が同一であるか否かを判定する。制御部１０１は、判定対象の印刷物のそれぞれにある画像が同一であると判定する場合（ステップＳ７１；Ｙ）、ステップＳ７３の処理に移行し、ステップＳ７３において、印刷紙を給紙させる。制御部１０１は、判定対象の印刷物のそれぞれにある画像が同一でないと判定する場合（ステップＳ７１；Ｎ）、ステップＳ７２の処理に移行し、ステップＳ７２において、判定対象の印刷物の次頁の給紙を停止させ、ステップＳ７３の処理に移行する。
【００３４】
以上の説明から、印刷物のそれぞれにある画像が同一であれば、全頁同じ画像が印刷されているため、頁ごとに差し替える必要がなく、枚数さえ合わせればよい。よって、実施形態２においては、制御部１０１は、印刷物のそれぞれにある画像が同一である場合、印刷物の次の給紙を停止させない状態で、画像形成部２３により印刷紙に画像を形成させる。したがって、停止動作がない分だけ全体としての処理時間を縮めることができるため、生産性をさらに向上させることができる。
【００３５】
以上、本開示に係る画像形成装置１を実施形態１，２に基づいて説明したが、本開示はこれに限定されるものではなく、本開示の趣旨を逸脱しない範囲で、変更を加えてもよい。
【００３６】
例えば、本実施形態においては、操作部６２を介して判定用閾値が設定される一例について説明したが、特にこれに限定されるものではない。例えば、判定用閾値は外部から送信されて画像形成装置１に設定されるものであってもよい。また、設定部６が表示部６１と操作部６２とを有する一例について説明したが、特にこれに限定されるものではない。例えば、液晶型タッチパネルディスプレイのように、表示部６１と操作部６２とが一体的に構成されるものであってもよい。
【符号の説明】
【００３７】
１  画像形成装置、  ６  設定部、６１  表示部、６２  操作部
７  画像形成装置本体、８  後処理装置、８１  ページインサーター
９  後処理装置、９１  画像読取部、１０  後処理装置
２０  給紙部、２１  搬送経路、２３  画像形成部、２５  定着部、２７  迂回経路
４１  帯電装置、４２  露光装置、４３  現像装置、４４  感光体
４５  ドラムクリーニング装置、４６  中間転写ベルト、４７  二次転写ローラー
１０１  制御部、１１１  記憶部
２０１  排出部、２０１Ａ  第１のトレイ、２０１Ｂ  第２のトレイ
２１１  搬送部、２１１Ａ  第１の搬送ローラー、２１１Ｂ  第２の搬送ローラー
２１１Ｃ  第３の搬送ローラー、２１１Ｄ  第４の搬送ローラー
２１１Ｅ  第５の搬送ローラー
【図１】
2019095576.tif 000003
【図２】
2019095576.tif 000004
【図３】
2019095576.tif 000005